(57)【特許請求の範囲】
【請求項１】
遊技機に設置された固有の監視用ＩＤ情報を記憶した監視用ＩＣタグと、
監視用アンテナを介して前記監視用ＩＣタグと無線通信を実行する監視制御装置とを有しており、
前記監視制御装置が、前記監視用アンテナを介して、前記遊技機に設置された前記監視用ＩＣタグとの間で、前記監視用ＩＣタグに記憶された監視用ＩＤ情報が監視制御装置内に記憶された前記監視用ＩＣタグに関する監視用ＩＤ情報と一致するか否かを確認する無線通信を周期的に繰り返し実行し、その無線通信が所定の結果である場合に、所定の監視情報を外部に出力する遊技機用監視システムであって、
前記監視用ＩＣタグおよび前記監視用アンテナによる監視状態を異なる態様に切り替えるための所定の管理用ＩＤ情報を記憶した認証用ＩＣタグと、
前記認証用ＩＣタグと無線通信を行って前記管理用ＩＤ情報を読み取る認証用アンテナとが設けられているとともに、
前記認証用アンテナが前記監視制御装置に接続されており、
前記監視制御装置が前記認証用アンテナを介して前記認証用ＩＣタグと無線通信を実行した結果、前記認証用ＩＣタグから読み取られた管理用ＩＤ情報が、予め監視制御装置内に記憶された管理用ＩＤ情報と一致し、且つ、その一致した状態が所定時間未満しか継続しなかった場合には、前記監視用ＩＣタグと前記監視用アンテナとの間の無線通信状態が変化した場合に前記監視制御装置から前記監視情報の代わりに認証情報を出力する認証制御を実行する一方、
前記監視制御装置が前記認証用アンテナを介して前記認証用ＩＣタグと無線通信を実行した結果、前記認証用ＩＣタグから読み取られた管理用ＩＤ情報が、予め監視制御装置内に記憶された管理用ＩＤ情報と一致し、且つ、その一致した状態が前記所定時間以上に亘って継続した場合には、前記認証制御とは異なる管理制御を実行し、
さらに、前記管理制御が、前記監視用ＩＣタグに関する新たな監視用ＩＤ情報を前記監視制御装置に記憶させるものであり、前記新たな監視用ＩＤ情報が、前記管理用ＩＤ情報の一致状態が所定時間以上に亘って継続した後に最初に読み込んだ監視用ＩＤ情報であることを特徴とする遊技機用監視システム。
【請求項２】
前記管理用ＩＤ情報の一致状態が所定時間以上に亘って継続した場合に、そのことを報知する報知手段が設けられていることを特徴とする請求項１に記載の遊技機用監視システム。
【請求項３】
前記監視制御装置内に記憶された管理用ＩＤ情報が、認証用ＩＤ情報に付加された属性であって、
前記認証用ＩＤ情報を記憶した第２認証用ＩＣタグと前記監視制御装置との間で無線通信を行った場合、前記監視制御装置は、前記第２認証用ＩＣタグから読み取られた認証用ＩＤ情報と、予め監視制御装置内に記憶された認証用ＩＤ情報とが一致すると、その一致状態の継続時間に拘わらず、前記認証制御を実行することを特徴とする請求項１又は２に記載の遊技機用監視システム。
【請求項４】
請求項１〜３のいずれかに記載の遊技機用監視システムによって監視されることを特徴とする遊技機。
【発明の詳細な説明】
【技術分野】
【０００１】
本発明は、パチンコ機等の遊技機に対する不正行為の有無を監視するための監視システムに関するものである。
【背景技術】
【０００２】
遊技機の一種であるパチンコ機においては、作動内容を制御するＲＯＭ等の制御素子を偽造されたものにすり替える不正行為が行われることがある。また、前面に開閉自在に取り付けられたガラス枠やミドル枠等を無理矢理開放して遊技盤面上の入賞装置内に多くの遊技球を入賞させる不正行為が行われることもある。
【０００３】
そのような不正行為を防止するために、出願人は、制御基板収納ボックスの分割式収納ケースに監視用のＩＣタグとアンテナとを設置するとともに、監視制御装置を利用してそれらの監視用ＩＣタグとアンテナとの間で無線通信を短時間の周期で繰り返し実行させることによって、制御基板収納ボックスの不正開放の有無を監視する監視システムについて提案した（特許文献１）。
【０００４】
さらに、出願人は、上記の如きＩＣタグとアンテナとを利用した遊技機の自動監視システムにおいて、パチンコホールの店員がパチンコ機のメンテナンス作業を実行する際に警報の発生を一時的に停止させることを可能とすべく、店員が有する店員カードに内蔵された認証用タグと無線通信可能な認証用アンテナをパチンコ機に設置し、店員カード内の認証用タグと認証用アンテナとの無線通信において所定の条件が充足された場合に、監視制御装置による監視態様を非報知態様に切り替える技術についても提案した（特願２００３−２７６１６４）。
【０００５】
【特許文献１】特開２００４−６５８０１号公報
【０００６】
また、上記の如き不正監視システムにおいては、パチンコ機の外枠や遊技盤面の交換等の事情により監視用ＩＣタグを取り替えた場合には、取り替え後の新規な監視用のＩＣタグに固有の「識別情報」に基づく不正行為の監視動作を行う必要がある。従来では、取り替え後の新規な監視用ＩＣタグに固有の「識別情報」に基づき監視動作を再開させるために、ホール管理者が有する管理カードに内蔵された管理用タグと無線通信可能な管理用アンテナをパチンコ機に設置して、管理カード内の管理用タグと管理用アンテナとの無線通信において所定の条件が充足された場合に、取り替え後の新規な監視用ＩＣタグに固有の「識別情報」を正規な「識別情報」として監視用制御装置に記憶させていた。
【発明の開示】
【発明が解決しようとする課題】
【０００７】
しかしながら、上記したような店員カードにより監視態様を非報知態様に切り替える一方、管理カードにより新規な「識別情報」を監視用制御装置に記憶させる不正監視システムでは、店員カード、管理カードという２種類の通信用カード（ＩＣタグ）の管理が非常に煩わしいものとなってしまう。また、店員カードを使用するつもりで誤って管理カードを使用してしまい、監視用制御装置に記憶されている「識別情報」を予期せぬタイミングで別のものに更新してしまう虞れがある。
【０００８】
本発明の目的は、上記従来の不正監視システムが有する問題点を解消し、システムの動作に供する通信用カード（ＩＣタグ）の管理が容易で実用性に優れた遊技機用の監視システムを提供することにある。
【課題を解決するための手段】
【０００９】
かかる本発明の内、請求項１に記載された発明の構成は、遊技機に設置された固有の監視用ＩＤ情報を記憶した監視用ＩＣタグと、監視用アンテナを介して前記監視用ＩＣタグと無線通信を実行する監視制御装置とを有しており、前記監視制御装置が、前記監視用アンテナを介して、前記遊技機に設置された前記監視用ＩＣタグとの間で、前記監視用ＩＣタグに記憶された監視用ＩＤ情報が監視制御装置内に記憶された前記監視用ＩＣタグに関する監視用ＩＤ情報と一致するか否かを確認する無線通信を周期的に繰り返し実行し、その無線通信が所定の結果である場合に、所定の監視情報を外部に出力する遊技機用監視システムであって、前記監視用ＩＣタグおよび前記監視用アンテナによる監視状態を異なる態様に切り替えるための所定の管理用ＩＤ情報を記憶した認証用ＩＣタグと、前記認証用ＩＣタグと無線通信を行って前記管理用ＩＤ情報を読み取る認証用アンテナとが設けられているとともに、前記認証用アンテナが前記監視制御装置に接続されており、前記監視制御装置が前記認証用アンテナを介して前記認証用ＩＣタグと無線通信を実行した結果、前記認証用ＩＣタグから読み取られた管理用ＩＤ情報が、予め監視制御装置内に記憶された管理用ＩＤ情報と一致し、且つ、その一致した状態が所定時間未満しか継続しなかった場合には、前記監視用ＩＣタグと前記監視用アンテナとの間の無線通信状態が変化した場合に前記監視制御装置から前記監視情報の代わりに認証情報を出力する認証制御を実行する一方、前記監視制御装置が前記認証用アンテナを介して前記認証用ＩＣタグと無線通信を実行した結果、前記認証用ＩＣタグから読み取られた管理用ＩＤ情報が、予め監視制御装置内に記憶された管理用ＩＤ情報と一致し、且つ、その一致した状態が前記所定時間以上に亘って継続した場合には、前記認証制御とは異なる管理制御を実行し、さらに、前記管理制御が、前記監視用ＩＣタグに関する新たな監視用ＩＤ情報を前記監視制御装置に記憶させるものであり、前記新たな監視用ＩＤ情報が、前記管理用ＩＤ情報の一致状態が所定時間以上に亘って継続した後に最初に読み込んだ監視用ＩＤ情報であることにある。
【００１２】
請求項２に記載された発明の構成は、請求項１に記載された発明において、前記管理用ＩＤ情報の一致状態が所定時間以上に亘って継続した場合に、そのことを報知する報知手段が設けられていることにある。
【００１３】
請求項３に記載された発明の構成は、請求項１又は２に記載された発明において、前記監視制御装置内に記憶された管理用ＩＤ情報が、認証用ＩＤ情報に付加された属性であって、前記認証用ＩＤ情報を記憶した第２認証用ＩＣタグと前記監視制御装置との間で無線通信を行った場合、前記監視制御装置は、前記第２認証用ＩＣタグから読み取られた認証用ＩＤ情報と、予め監視制御装置内に記憶された認証用ＩＤ情報とが一致すると、その一致状態の継続時間に拘わらず、前記認証制御を実行することにある。
【００１４】
請求項４に記載された発明の構成は、請求項１〜３のいずれかに記載の遊技機用監視システムによって監視される遊技機にある。
【発明の効果】
【００１５】
請求項１に記載された遊技機用監視システムによれば、管理用ＩＤ情報が記憶された認証用ＩＣタグを用いれば、その認証用ＩＣタグを所定時間より短い時間だけ認証させることにより「認証制御」を実行し、所定時間より長い時間に亘って認証させることにより「管理制御」を実行することが可能となる。したがって、請求項１に記載された遊技機用監視システムは、一枚の認証用ＩＣタグを用いることによって「認証制御」と「管理制御」とを実行させることが可能であるので、システムの動作に供する通信用カード（ＩＣタグ）の管理が非常に容易であり、実用性に優れている。
【００１６】
また、請求項１に記載された遊技機用監視システムは、管理制御が、監視用ＩＣタグに関する新たな監視用ＩＤ情報を監視制御装置に記憶させるものであるため、監視用ＩＣタグの取り替え時における新規な監視用ＩＣタグに固有の「識別情報」に基づく不正行為の監視動作を再開する際の作業が、非常に容易である。
【００１７】
さらに、請求項１に記載された遊技機用監視システムは、管理制御において監視制御装置に記憶させる新たな監視用ＩＤ情報が、管理用ＩＤ情報の一致状態が所定時間以上に亘って継続した後に最初に読み込んだ監視用ＩＤ情報であるため、取り替え後の新規な「識別情報」に基づき監視動作を再開させる際に、新たな「識別情報」を確実に監視制御装置に記憶させることができる。したがって、請求項１に記載された遊技機用監視システムによれば、監視制御装置による監視動作がより精度の高いものとなる。
【００１８】
請求項２に記載された遊技機用監視システムは、管理用ＩＤ情報の一致状態が所定時間以上に亘って継続した場合に、そのことが報知手段によって報知されるので、「管理制御」が実行されたことを容易に認識することができる。また、パチンコホール管理者以外の者が不正目的で「管理制御」を実行する事態を防止することができる。
【００１９】
請求項３に記載された遊技機用監視システムは、監視制御装置内に記憶された管理用ＩＤ情報が、認証用ＩＤ情報に付加された属性であって、認証用ＩＤ情報を記憶した第２認証用ＩＣタグと監視制御装置との間で無線通信を行った場合、監視制御装置は、第２認証用ＩＣタグから読み取られた認証用ＩＤ情報と、予め監視制御装置内に記憶された認証用ＩＤ情報とが一致すると、その一致状態の継続時間に拘わらず、認証制御を実行するため、認証用ＩＣタグに管理用ＩＤ情報を記憶させたり、認証用ＩＣタグから管理用ＩＤ情報を消去したりすることにより、１つの認証用ＩＣタグを、「認証制御」の実行のみが可能なものと、「認証制御」及び「管理制御」の実行が可能なものとの２通りの態様で使用することができるので、きわめて利便性に優れている。
【００２０】
請求項４に記載された遊技機は、請求項１〜３のいずれかに記載の遊技機用監視システムによって監視されるため、不正行為を効果的に防止することができる。
【発明を実施するための最良の形態】
【００２１】
以下、本発明の一実施形態に係るパチンコ機用の監視システムについて、以下の目次の順序にしたがい、図面に基づいて詳細に説明する。
（１）監視システムの概要
（２）監視システムの各要素の構成
（３）監視システムの動作内容
（４）監視システムの効果
（５）監視システムの変更例
【００２２】
（１）監視システムの概要
図１は、本発明の一実施形態に係るパチンコ機用の監視システムＳを示すブロック図であり、図２は、監視システムＳを導入したパチンコホールの外観を示す説明図である。パチンコホールの各設置台（設置島）２０３，２０３・・には、パチンコ機１，１・・が、背中合わせに２列に並べられて設置されている。また、各設置台２０３，２０３・・には、各パチンコ機１，１・・と隣接した上方に、監視システムＳにおける監視態様を切り替えるための通信ユニット３３，３３・・が設置されている。なお、それらの各通信ユニット３３，３３・・の上側には、遊技者が個々のパチンコ機１の遊技内容に関する情報を入手するための情報表示器２０１，２０１・・が設置されている。
【００２３】
また、各設置台２０３，２０３・・の内部には、各パチンコ機１，１・・を監視するための監視制御装置であるＲＷ（リーダライタ）６６，６６・・が内蔵されており、各ＲＷ６６，６６・・は、パチンコ機１の主制御基板３７および通信ユニット３３と接続された状態になっている。加えて、各ＲＷ６６，６６・・は、ＬＡＮによって、設置台２０３の端部に設置された警報表示器４５、およびパチンコホール全体を管理するホールコンピュータである管理装置３００に接続されている。そして、各ＲＷ６６，６６・・の情報を警報表示器４５や管理装置３００へ送信したり、管理装置３００からの情報を受信したりすることができるようになっている。
【００２４】
かかる監視システムＳは、各ＲＷ６６，６６・・が、各パチンコ機１，１・・に設置された監視用ＩＣタグ（ガラス枠タグ４０）と監視用アンテナ（ガラス枠アンテナ４１）とを利用して、各パチンコ機１，１・・に対する不正行為の有無を監視する。また、パチンコホールの店員が、通信ユニット３３の所定の部位にＩＣタグである店員カードをかざして、通信ユニット３３に内蔵された認証用アンテナ２０６と近接させることによって、監視用ＩＣタグと監視用アンテナとによる監視状態を「非報知態様」に切り替えて、パチンコ機１のメンテナンス作業を実行する際の警報の発生を停止させることができる。加えて、監視システムＳは、パチンコホールの店員が、通信ユニット３３の所定の部位に特定の店員カードをかざして、通信ユニット３３内の認証用アンテナ２０６と近接させることによって、監視用ＩＣタグに関する新たな「識別情報」をＲＷ６６に記憶させて、新規の監視用ＩＣタグに固有の「識別情報」に基づく監視動作を再開させることができる。
【００２５】
（２）監視システムの各要素の構成
［パチンコ機の構成］
図３、図４は、パチンコ機１を示したものである。パチンコ機１は、その周囲を機枠２によって支持されており、機枠２の前面には、ミドル枠１０が、左端縁を軸として着脱自在に蝶着されている。そして、ミドル枠１０の前面上側には、略正方形の遊技盤９が設けられているとともに、その遊技盤９を覆うように、ガラス板を嵌め込んだガラス枠４が、左端縁を軸として片開き自在に蝶着されている。なお、パチンコ機１の裏面には、パチンコ機１の作動内容を制御するための主制御基板を収納した主制御基板ボックス（図示せず）が設置されており、ガラス枠４を開放することによって、その主制御基板ボックスのメンテナンス等をすることができるようになっている。
【００２６】
さらに、ガラス枠４の開放側の裏面には、監視用ＩＣタグであるガラス枠タグ４０が固着されており、ミドル枠１０の右上方であってガラス枠４を閉じた際にガラス枠タグ４０と対峙する部位には、ガラス枠タグ４０との間でＲＦ送受信を行う監視用アンテナであるガラス枠アンテナ４１が固着されている。
【００２７】
ガラス枠タグ４０は、フレキシブルな基板上に、ＲＦ回路、ＥＥＰＲＯＭ等の記憶手段、および送受信回路等を設けたものであり、記憶手段の上書消去禁止区域には、ガラス枠タグ４０を他のＩＣタグと識別するための識別情報が記憶されている。
【００２８】
一方、ガラス枠アンテナ４１は、ＣＥＭ３等のガラスコンポジットで形成された薄い板状の基板の表面に送受信回路を渦巻き状に形成したものである。かかるガラス枠アンテナ４１は、ケーブルを介して、設置台２０３内のＲＷ６６に接続されている。
【００２９】
ガラス枠タグ４０は、ガラス枠アンテナ４１との間で、所定の周波数（たとえば、１３．５６ＭＨｚ）を利用して、ＲＦ（Radio Frequency）送受信を行うことが可能であり、呼出波を受信すると、予め記憶されている識別情報を含む反射波を、所定の通信範囲（約３ｍｍ）内に出力（返信）するように設定されている。
【００３０】
［ＲＷの構成］
図５は、監視制御装置であるＲＷ６６の制御機構を示したものである。ＲＷ６６は、ＣＰＵ６８、ＲＡＭ６９、ＲＯＭ７０、ＥＥＰＲＯＭ７１、タイマ７２、ＲＦ回路７３、Ｉ／Ｏインタフェイス７４等を有している。そして、ＲＦ回路７３が、パチンコ機１に設置されたガラス枠アンテナ４１のケーブルと接続された状態になっている。
【００３１】
また、ＲＷ６６のＥＥＰＲＯＭ７１には、パチンコ機１のガラス枠タグ４０に登録されている「識別情報」が記憶されている。さらに、ＲＷ６６のＲＡＭ６９には、図６の如く、各店員カードに記憶された「店員ＩＤ」が、有効なすべての店員カードの種類別（番号別）に記憶されている。すなわち、パチンコホールの“○○一郎”店員が保持すべきＮＯ．１の店員カードの「店員ＩＤ」としては、“４８５２・・・７９ＡＸ”が記憶されており、パチンコホールの“△△二郎”店員が保持すべきＮＯ．２の店員カードの「店員ＩＤ」としては、“６９５７・・・３１ＨＹ”が記憶されている。加えて、「店員ＩＤ」には、所定の属性が付加された状態になっている。すなわち、ＮＯ．１の店員カードの「店員ＩＤ」には、属性として、“１”が付加されており（以下、この属性を管理者属性という）、ＮＯ．２以降の店員カードの「店員ＩＤ」には、属性として、“０”が付加されている。なお、それらの「店員ＩＤ」および属性は、管理装置３００から送信された後にＲＷ６６のＲＡＭ６９内に記憶されたものである。また、必要に応じて管理装置３００で所定の入力を実行することによって、「店員ＩＤ」に付加された属性を変更することができるようになっている。
【００３２】
［通信ユニットの構成］
図７は、設置台２０３の表側に設置された通信ユニット３３を示したものである。通信ユニット３３は、合成樹脂によって扁平な直方体状に形成された収納ケース３４の内部に、認証用アンテナ２０６を設置したものである。認証用アンテナ２０６は、フレキシブルな薄い基板の表面に送受信回路を渦巻き状に形成したものである。そして、送受信回路を捲回させた面を収納ケース３４のフロントパネルの裏側に当接させた状態で固定されており、アンテナケーブル３１ｂによってＲＷ６６のＲＦ回路７３に接続されている（図７（ｄ）参照）。また、通信ユニット３３の収納ケース３４のフロントパネルには、内蔵された認証用アンテナ２０６の上方の外側に、認証状態報知手段および管理制御状態報知手段として機能する報知ランプ３２が並設されている。
【００３３】
［管理装置の構成］
図８は、管理装置３００の制御機構を示したものである。管理装置３００は、ＣＰＵ２９２、ＲＡＭ，ＲＯＭ，ＥＥＰＲＯＭ等からなる記憶手段２９１、タイマ２９７、警告ランプ２９５、表示器２９６、通信回路２９４、Ｉ／Ｏインタフェイス２９３等を有している。そして、ＣＰＵ２９２が、Ｉ／Ｏインタフェイス２９３を介して警告ランプ２９５および表示器２９６と接続された状態になっている。また、ＣＰＵ２９２が、Ｉ／Ｏインタフェイス２９３を介して通信回路２９４と接続されている。そして、各ＲＷ６６，６６・・は、ＬＡＮケーブル等の配線を介して、設置台２０３の警報表示器４５を経由して、管理装置３００のＣＰＵ２９２に接続された状態になっている。
【００３４】
［店員カードの構成］
図９は、店員カードを示したものであり、店員カード２４９は、送受信回路２５２、ＲＦ回路２６７およびＥＥＰＲＯＭ等の記憶手段２６６を内蔵したＩＣチップ２５３を合成樹脂でコーティングしてなるＩＣタグを、カード状に成形した樹脂に埋め込んだものである。なお、記憶手段２６６内には、各店員カード２４９に固有のＩＤである「店員ＩＤ」が記憶されている。また、特定の店員カード２４９の記憶手段２６６内には、「店員ＩＤ」の他に、「店員ＩＤ」と同様に固有のＩＤである「管理者ＩＤ」が記憶されている。なお、以下の説明においては、「管理者ＩＤ」が記憶された特定の店員カード２４９を管理用の店員カードといい、「管理者ＩＤ」が記憶されていない店員カード２４９を通常の店員カードという。かかる店員カード２４９は、呼出波を受信すると予め記憶されている「店員ＩＤ」や「管理者ＩＤ」を含む反射波を所定の通信範囲内に出力する認証用ＩＣタグとして機能するようになっている。
【００３５】
（３）監視システムの動作内容
［不正行為の監視動作］
図１０は、監視システムＳにおける各要素の制御機構を示すブロック図である。ＲＷ６６は、パチンコ機１に設置されたガラス枠タグ４０とガラス枠アンテナ４１との間におけるＲＦ送受信を利用して、パチンコ機１においてガラス枠４の監視動作を実行する。すなわち、ＲＷ６６が、ガラス枠アンテナ４１を介して、ガラス枠タグ４０へ呼出波を送信すると、ガラス枠タグ４０は、直ちに、記憶された「識別情報」を含めた反射波を返信する。ＲＷ６６は、ガラス枠アンテナ４１によって、その反射波を受信すると、ガラス枠タグ４０からの反射波に含まれる「識別情報」が、ＥＥＰＲＯＭ７１に予め記憶されているものと一致するか否かを判断し、記憶されたものと同一であると確認した場合には、“正常”と判断し、再度、直ちに呼出波を送信する。しかしながら、呼出波を送信してから所定時間（たとえば、５０ｍｓ）内に反射波を受信しなかった場合や、ガラス枠タグ４０からの反射波に含まれる「識別情報」が、予めＥＥＰＲＯＭ７１に登録されているものと一致しなかった場合には、異常である（ガラス枠４０が不正に開放された可能性がある）と判断し、反射波を受信できなかった時刻等を「異常検知情報」としてＥＥＰＲＯＭ７１に記憶するとともに、後述する「認証モード」で監視動作を実行している場合を除いて「異常信号」を外部へ出力する。
【００３６】
ＲＷ６６は、上記の如き監視動作を、短時間（約数十ｍｓ）の周期で２４時間繰り返し実行する。なお、ガラス枠タグ４０とガラス枠アンテナ４１とは、間隔が約３ｍｍ以内となっている場合にのみＲＦ送受信ができるように設定されている。したがって、ほんの少しの時間、わずかにガラス枠４が開放されたとしても、異常であると判断される。
【００３７】
警報表示器４５は、ＲＷ６６が出力した「異常信号」を受信すると、表示器４６に所定のメッセージを表示するとともに、警報ランプ４７を所定の態様で発光させることによって、パチンコホールの店員の注意を促す。また、警報表示器４５は、ＲＷ６６が出力した「異常信号」を受信すると、管理装置３００へ「異常信号」を送信する。管理装置３００は、警報表示器４５から送信された「異常信号」を受信すると、その受信時刻や発信元の「識別記号」（パチンコ機１の機台番号）を、「異常検知情報」として表示器２９６に表示する。
【００３８】
［店員カードを用いた認証動作］
監視システムＳは、パチンコホールの管理者や店員が、店員カードを通信ユニット３３にかざして認証用アンテナ２０６と近接させた場合に、図１１のフローチャートにしたがって、「認証動作」を実行し、ガラス枠タグ４０とガラス枠用アンテナ４１とによる監視状態を「非報知態様」に切り替えるようになっている。
【００３９】
すなわち、店員カード２４９あるいは管理者カード５１が通信ユニット３３の認証用アンテナ２０６に近づけられると、認証用アンテナ２０６からの呼出波の受信が可能となる。そして、認証用アンテナ２０６からの呼出波を受信した店員カード２４９は、その店員カード２４０に固有の「店員ＩＤ」や属性を含む射波波を認証用アンテナ２０６に送信する（なお、認証用アンテナ２０６は、常時、呼出波を送信している）。送信された反射波は、認証用アンテナ２０６からＲＷ６６へ伝達される。
【００４０】
「認証動作」におけるＳ１では、店員カード２４９からの反射波を受信したＲＷ６６によって、その反射波に含められた「店員ＩＤ」がＲＷ６６のＲＡＭ６９内に記憶されたものと一致しているか否かが判断される。そして、Ｓ１でＲＷ６６によって店員カード２４９から受信した反射波に含められた「店員ＩＤ」がＲＡＭ６９内に記憶されたものと一致していると判断された場合には、続くＳ２で、その一致した「店員ＩＤ」に付加された属性が管理者属性であるか否かを判断する。
【００４１】
さらに、Ｓ２で“ＮＯ”と判断された場合（すなわち、一致した「店員ＩＤ」に付加された属性が管理者属性でないと判断された場合）には、Ｓ７で、ガラス枠タグ４０とガラス枠用アンテナ４１とによる監視状態を「非報知態様」に切り替える「認証制御」が実行される。したがって、監視システムＳにおいては、ＲＷ６６に記憶された「店員ＩＤ」を記憶させた正規の店員カード２４９を通信ユニット３３にかざして認証用アンテナ２０６と近接させた場合（すなわち、「店員ＩＤ」を認証させた場合）にのみ「認証制御」を実行させることができる。
【００４２】
かかる「認証制御」においては、パチンコ機１のガラス枠タグ４０とガラス枠アンテナ４１とが送受信不能になったとしても、警報表示器４５および管理装置３００へ「異常信号」が送信されないように制御される。そのように制御することによって、パチンコホールの店員がメンテナンス作業等のためにパチンコ機１のガラス枠４を開放した場合に、警報表示器４５および管理装置３００において不要な警報を行わないようにすることが可能となる。
【００４３】
また、店員カード２４９から送信された反射波に含められた「店員ＩＤ」がＲＡＭ６９内に記憶されたものであると判断した場合には、その反射波を受信した時刻および「店員ＩＤ」が、「アクセス履歴情報」としてＲＷ６６のＥＥＰＲＯＭ７１に記憶される。かかる制御によって、何時にどの店員カード２４９によって「店員ＩＤ」の照合があったかを把握することが可能となる。なお、このような「店員ＩＤ」の照合があった場合におけるＲＷ６６によるパチンコ機１の監視態様を「認証モード」といい、それ以外のときの監視態様を「通常モード」という。また、監視態様が「認証モード」になっている間は、通信ユニット３３に設けられている報知ランプ３２が点滅する。
【００４４】
さらに、監視態様を「認証モード」に切り替えた後、パチンコ機１のガラス枠タグ４０とガラス枠アンテナ４１との送受信が切断された場合には、その切断された時刻が、認証された「店員ＩＤ」と対応させた状態で、「作業履歴情報」としてＲＷ６６のＥＥＰＲＯＭ７１に記憶されるとともに、その「作業履歴情報」が管理装置３００へ送信される。ＲＷ６６から「作業履歴情報」を受信した管理装置３００は、それらの「作業履歴情報」を、パチンコ機１の機台別に、記憶手段２９１内に記憶させる。
【００４５】
なお、監視態様を「認証モード」に切り替えた後、パチンコ機１のガラス枠タグ４０とガラス枠アンテナ４１との送受信が復旧した場合（すなわち、メンテナンス作業等の後にガラス枠４が閉じられてから所定の時間だけ継続して正常な送受信が行われた場合）には、監視態様を再び「通常モード」に切り替えて、それ以降、パチンコ機１のガラス枠タグ４０とガラス枠アンテナ４１とが送受信不能になった場合に警報表示器４５および管理装置３００へ「異常信号」が送信されないように制御される。
【００４６】
一方、Ｓ２で“ＹＥＳ”と判断された場合には、Ｓ３で、ＲＷ６６において、タイマ７２が所定の時間（ｔ０  ；５秒）にセットされる。しかる後に、Ｓ４で、所定の時間（ｔ０  ）が経過したか否か判断され、“ＹＥＳ”と判断された場合には、Ｓ５で、ＲＷ６６によって、店員カード２４９から受信した反射波に含められた「店員ＩＤ」および属性がＲＡＭ６９内に記憶されたものと一致しているか否か、判断される。
【００４７】
そして、Ｓ５で“ＹＥＳ”と判断された場合には、Ｓ６で、監視用ＩＣタグに関する新たな「識別情報」をＲＷ６６に記憶させる「管理制御」を実行する。したがって、監視システムＳにおいては、ＲＷ６６に記憶された「店員ＩＤ」および属性を記憶させた正規の管理用の店員カード２４９を用いて、所定の時間（ｔ０ ）以上の時間に亘って通信ユニット３３にかざして認証用アンテナ２０６と近接させた場合（すなわち、所定の時間以上に亘って「店員ＩＤ」および属性を認証させた場合）にのみ「管理制御」を実行させることができる。尚、Ｓ５で“ＮＯ”と判断された場合、すなわち管理用の店員カード２４９を認証用アンテナ２０６に近接させてから、その近接状態が所定の時間（ｔ０）に亘って継続されなかった場合には、「認証制御」を実行することになる。
【００４８】
かかる「管理制御」においては、Ｓ４で所定の時間（ｔ０  ）が経過したと判断された後に最初にガラス枠アンテナ４１が受信したガラス枠タグ４０の「識別情報」を、正規の「照合情報」としてＲＷ６６のＥＥＰＲＯＭ７１に記憶させる。このような「管理制御」を実行することにより、ガラス枠４の交換等の事情によりガラス枠タグ４０を取り替える場合に、取り替え後の新規なガラス枠タグ４０に固有の「識別情報」に基づく不正行為の監視動作の再開が可能になる。すなわち、古いガラス枠タグ４０の「識別情報」がリセットされ、新たなガラス枠タグ４０の「識別情報」が記憶された場合には、その新規なガラス枠タグ４０の「識別情報」に基づいて、ガラス枠タグ４０とガラス枠アンテナ４１とが送受信不能になった場合に警報表示器４５および管理装置３００へ「異常信号」が送信されるように制御される。
【００４９】
なお、新規なガラス枠タグ４０の「識別情報」が記憶された場合には、その「識別情報」の更新時刻が、認証された「店員ＩＤ」および「管理者ＩＤ」と対応させた状態で、「管理履歴情報」としてＲＷ６６のＥＥＰＲＯＭ７１に記憶されるとともに、その「管理履歴情報」が管理装置３００へ送信される。ＲＷ６６から「管理履歴情報」を受信した管理装置３００は、それらの「作業履歴情報」を、パチンコ機１の機台別に、記憶手段２９１内に記憶させる。また、新規なガラス枠タグ４０の「識別情報」が記憶された場合には、通信ユニット３３に設けられている報知ランプ３２が所定の時間（約３０秒）に亘って点滅する。
【００５０】
一方、Ｓ１で“ＮＯ”と判断された場合（すなわち、店員カード２４９から受信した反射波に含められた「店員ＩＤ」がＲＡＭ６９内に記憶されたものと一致していないと判断された場合）、あるいは、Ｓ２で“ＮＯ”と判断された場合（店員カード２４９から受信した反射波に含められた「店員ＩＤ」あるいは属性がＲＡＭ６９内に記憶されたものと一致していないと判断された場合）には、「認証制御」あるいは「管理制御」を実行することなく、「認証動作」を終了する。
【００５１】
（４）監視システムの効果
監視システムＳは、上記の如く、ＲＷ６６が認証用アンテナ２０６を介して店員カード２４９（認証用ＩＣタグ）と無線通信を実行した結果、店員カード２４９から読み取られた「店員ＩＤ」が、予めＲＷ６６内に記憶された「店員ＩＤ」と一致した場合には、ガラス枠タグ４０とガラス枠用アンテナ４１との間の無線通信状態が変化した場合に、ＲＷ６６から「監視情報」である「異常信号」を出力する代わりに、認証状態であることを報知する「作業履歴情報」を出力する「認証制御」（すなわち、作業管理制御）を実行する。また、ＲＷ６６が認証用アンテナ２０６を介して店員カード２４９と無線通信を実行した結果、店員カード２４９から読み取られた「店員ＩＤ」および「管理者ＩＤ」が、予めＲＷ６６内に記憶された「管理者ＩＤ」と一致し、その一致した状態が所定時間以上に亘って継続した場合には、ガラス枠タグ４０の「識別情報」を管理するための「管理制御」（すなわち、更新制御）を実行する。したがって、「管理者ＩＤ」が記憶された管理用の店員カード２４９を用いれば、その管理用の店員カード２４９を所定時間より短い時間だけ認証させることにより「認証制御」を実行し、所定時間より長い時間に亘って認証させることにより「管理制御」を実行することができる。すなわち、監視システムＳは、一枚の管理用の店員カード２４９を用いることによって「認証制御」と「管理制御」とを実行させることができるので、システムの動作に供する通信用カード（ＩＣタグ）の管理が非常に容易であり、実用性に優れている。また、店員カードを使用するつもりで誤って管理カードを使用してしまうことによってＲＷ６６に記憶されている「識別情報」を予期せぬタイミングで別のものに更新してしまう事態が生じたりしない。
【００５２】
また、監視システムＳは、ガラス枠タグ４０の「識別情報」を管理するための「管理制御」が、新規なガラス枠タグ４０の「識別情報」をＲＷ６６に記憶させるものであるため、ガラス枠タグ４０の取り替え時に、新規なガラス枠タグ４０に固有の「識別情報」に基づく不正行為の監視動作をスムーズに再開することができる。
【００５３】
また、監視システムＳは、「管理制御」においてＲＷ６６に記憶させる新規なガラス枠タグ４０の「識別情報」が、店員カード２４９から読み取られた「店員ＩＤ」と予めＲＷ６６内に記憶された「店員ＩＤ」との一致状態が所定時間（ｔ０  ）以上に亘って継続した後に最初に読み込んだガラス枠タグ４０の「識別情報」であるため、取り替え後の新規な「識別情報」に基づき監視動作を再開させる際に、新たな「識別情報」を確実にＲＷ６６に記憶させることができる。したがって、監視システムＳによれば、ＲＷ６６による監視動作がより精度の高いものとなる。
【００５４】
さらに、監視システムＳは、認証用アンテナ２０６により店員カード２４９から読み取られた「店員ＩＤ」および属性が、予めＲＷ６６内に記憶された「店員ＩＤ」および属性と一致した状態が所定時間以上に亘って継続した場合（すなわち、管理用の店員カード２４９が認証された場合）に、そのことを報知する報知ランプ３２が設けられているため、「管理制御」が実行されたことを容易に認識することができる。また、パチンコホール管理者以外の者が不正目的で「管理制御」を実行する事態を防止することができる。
【００５５】
さらに、監視システムＳは、ＲＷ６６内に記憶された「管理用ＩＤ」が「店員ＩＤ」に付加された属性であるため、通常の店員カード２４９に管理者属性を付加するとともに、ＲＷ６６のＲＡＭ６９にその店員カード２４９および管理者属性を記憶させることによって、通常の店員カード２４９を管理用の店員カード２４９として利用することが可能となり、反対に、管理用の店員カード２４９の管理者属性を通常の属性（すなわち、“０”）に変更し、ＲＷ６６のＲＡＭ６９内に記憶されている店員カード２４９の管理者属性を通常の属性に変更することによって、管理用の店員カード２４９を通常の店員カード２４９として利用することが可能となる。したがって、監視システムＳは、きわめて利便性が高い。
【００５６】
（５）実施例の監視システムの変更例
なお、本発明の監視システムの構成は、上記実施形態の態様に何ら限定されるものではなく、遊技機、監視制御装置（ＲＷ）、認証用アンテナ、認証用ＩＣタグ、監視用ＩＣタグ、監視用アンテナ、通信ユニット、警報表示器、管理装置等の形状・構造等の構成を、本発明の趣旨を逸脱しない範囲で、必要に応じて適宜変更することができる。
【００５７】
たとえば、監視システムは、パチンコ機の前面に開閉自在に取り付けられたガラス枠にＩＣタグとアンテナとを設けたものに限定されず、パチンコ機の周囲を覆う機枠や、パチンコ機の主制御基板ボックスの収納ケース、あるいは大入賞装置の扉部材等の部位に監視用ＩＣタグと監視用アンテナとを設けたものでも良い。
【００５８】
また、管理用の店員カードを所定時間以上認証させた場合に実行可能となる「管理制御」は、監視用ＩＣタグに関する新たな監視用ＩＤ情報を監視制御装置に記憶させるものに限定されず、遊技機の監視情報に関するデータを集計したり出力したりするもの等に変更することも可能である。
【００５９】
加えて、監視システムは、店員カードを所定時間（ｔ０  ）未満だけ認証させた場合に所定時間（約５秒）だけ監視状態を「非報知態様」とするものに限定されず、店員カードを認証させた場合には所定の解除信号を入力（たとえば、再度の認証動作を実行）するまで（時間制限がなく）監視状態を「非報知態様」とするものに変更することができる。
【００６０】
さらに、上記実施形態においては、一通りの店員カードを通常の店員カードとしても管理用の店員カードとしても利用できる監視システムの一例について説明したが、本発明の監視システムにおいては、通常の店員カードと管理用の店員カードとを別個のものとすることも可能である。
【００６１】
一方、監視システムは、上記実施形態の如く、「認証制御」を実行する場合と「認証制御」を実行する場合とにおける報知手段の報知態様が異なるものに限定されず、「認証制御」を実行する場合と「認証制御」を実行する場合とにおける報知手段の報知態様が同じものでも良い。また、「認証制御」や「管理制御」の実行を報知する報知手段が認証用ＩＣタグの近傍に設けられたものに限定されず、警報表示器や管理装置、あるいはそれらの近傍に報知手段を設けることも可能である。
【００６２】
一方、監視システムは、パチンコ機の主制御基板と監視制御装置と警報表示器と管理装置とを有線によって接続したものに限定されず、それらの装置を無線によって接続したものに変更することも可能である。また、監視システムは、インターネット等の回線を通じてパチンコホールの外部に監視履歴情報を送信するもの等でも良い。さらに、監視システムは、監視制御装置を介してパチンコ機の主制御基板と警報表示器あるいは管理装置とを接続したものに限定されず、パチンコ機の主制御基板を直接に警報表示器あるいは管理装置と接続したものに変更することも可能である。加えて、監視システムは、必ずしも警報表示器を有するものに限定されず、パチンコ機の主制御基板あるいは監視制御装置を管理装置に直接的に接続したものでも良い。
【００６３】
なお、本発明の監視システムは、上記実施形態の如くパチンコ機を監視するものに限定されず、スロットマシーン、スロットマシーン型パチンコ機等の他の遊技機を監視するものに変更することも可能である。
【産業上の利用可能性】
【００６４】
本発明の遊技機用監視システムは、各種の遊技機用の監視システムとして好適に用いることができる。
【図面の簡単な説明】
【００６５】
【図１】監視システムの概要を示すブロック図である。
【図２】監視システムを導入したパチンコホールの外観を示す説明図である。
【図３】パチンコ機の正面図である。
【図４】ガラス枠およびミドル枠を開放したパチンコ機の前方斜視図である。
【図５】ＲＷの制御機構を示すブロック図である。
【図６】ＲＷの記憶手段に「店員ＩＤ」、「管理用ＩＤ」が記憶されている状態を示す説明図である。
【図７】（ａ）は通信ユニットの前方斜視図であり、（ｂ）は通信ユニットの正面図であり、（ｃ）は（ｂ）におけるＡ−Ａ線断面を示す説明図である。
【図８】管理装置の制御機構を示すブロック図である。
【図９】店員カードの制御機構を示すブロック図である。
【図１０】監視システムの各要素の制御機構を示すブロック図である。
【図１１】「認証動作」の内容を示すフローチャートである。
【符号の説明】
【００６６】
１・・パチンコ機、３２・・報知ランプ、４０・・ガラス枠タグ（監視用ＩＣタグ）、４１・・ガラス枠アンテナ（監視用アンテナ）、６６・・ＲＷ（監視制御装置）、２０６・・認証用アンテナ、２４９・・店員カード（認証用ＩＣタグ）、Ｓ・・監視システム。
【図１】
0004801965.tif 000002
【図２】
0004801965.tif 000003
【図３】
0004801965.tif 000004
【図４】
0004801965.tif 000005
【図５】
0004801965.tif 000006
【図６】
0004801965.tif 000007
【図７】
0004801965.tif 000008
【図８】
0004801965.tif 000009
【図９】
0004801965.tif 000010
【図１０】
0004801965.tif 000011
【図１１】
0004801965.tif 000012